【手続補正書】
【提出日】平成20年1月15日(2008.1.15)
【手続補正１】
【補正対象書類名】明細書
【補正対象項目名】特許請求の範囲
【補正方法】変更
【補正の内容】
【特許請求の範囲】
【請求項１】  通信媒体上に接続されたクライアント装置及びデバイス装置間におけるデータ転送を制御するデータ転送処理装置であって、
前記デバイス装置の状態に関する状態情報を取得する状態情報取得手段と、
該状態情報取得手段で取得した状態情報に対応するメッセージ、送信先情報、及び返信先情報に基づき送信データを作成する送信データ作成手段と、
該送信データ作成手段で作成した前記送信データを電子メールとして前記クライアント装置に送信する電子メール送信手段とを有し、
前記送信データ作成手段は、前記送信データを作成する際に、前記状態情報取得手段で取得した状態情報に応じて異なるアドレスを、前記電子メール送信手段により送信される電子メールの返信先情報として設定することを特徴とするデータ転送処理装置。
【請求項２】  前記状態情報取得手段で取得した状態情報に応じた自然言語に基づくメッセージを前記デバイス装置から取得するメッセージ取得手段を更に備え、
前記送信データ作成手段は、該メッセージ取得手段が取得したメッセージに基づいて送信データを作成することを特徴とする請求項１に記載のデータ転送処理装置。
【請求項３】  前記送信先情報を記憶する送信先情報記憶手段を更に備え、
前記送信データ作成手段は、該送信先情報記憶手段に記憶された送信先情報に基づいて送信データを作成することを特徴とする請求項１又は２に記載のデータ転送処理装置。
【請求項４】  前記データ転送処理装置は、前記デバイス装置に装着されるネットワークボードであることを特徴とする請求項１乃至３のいずれかに記載のデータ転送処理装置。
【請求項５】  前記電子メール送信手段は、前記送信データを電子メールとして前記通信媒体上に接続されたメールサーバ装置を介し前記クライアント装置に送信することを特徴とする請求項１に記載のデータ転送処理装置。
【請求項６】  前記デバイス装置の状態に関する状態情報に応じた自然言語に基づくメッセージを含む電子メールを前記クライアント装置に送信するための送信設定情報を記憶する送信設定情報記憶手段と、
前記クライアント装置上で表示される前記送信設定情報の設定画面を表すデータを生成するデータ生成手段と、
該データ生成手段で生成した前記データを前記クライアント装置に送信するデータ送信手段とを有することを特徴とする請求項１乃至５のいずれかに記載のデータ転送処理装置。
【請求項７】  前記送信設定情報記憶手段により記憶される前記送信設定情報は、前記返信先情報として設定されるアドレスを含むことを特徴とする請求項６に記載のデータ転送処理装置。
【請求項８】  前記クライアント装置から送信される通知設定情報を取得する通知設定情報取得手段と、
該通知設定情報取得手段で取得した通知設定情報を保持する通知設定情報保持手段と、
前記通知設定情報に基づき前記デバイス装置に対し前記デバイス装置の状態の通知条件を設定する通知条件設定手段とを有することを特徴とする請求項１乃至７のいずれかに記載のデータ転送処理装置。
【請求項９】  前記デバイス装置は、記録媒体上に画像を形成する画像形成機能を有し、前記状態情報とは、前記デバイス装置で用いる消耗品の補充や消耗部品の交換に関する情報、或いは前記デバイス装置の動作状況を示す情報を含み、前記データ転送処理装置は、前記デバイス装置が備えることを特徴とする請求項１乃至８のいずれかに記載のデータ転送処理装置。
【請求項１０】  クライアント装置と通信媒体を介して通信可能なデバイス装置であって、
前記デバイス装置の状態に関する状態情報を取得する状態情報取得手段と、
該状態情報取得手段で取得した状態情報に対応するメッセージ、送信先情報、及び返信先情報に基づき送信データを作成する送信データ作成手段と、
該送信データ作成手段で作成した前記送信データを電子メールとして前記クライアント装置に送信する電子メール送信手段とを有し、
前記送信データ作成手段は、前記送信データを作成する際に、前記状態情報取得手段で取得した状態情報に応じて異なるアドレスを、前記電子メール送信手段により送信される電子メールの返信先情報として設定することを特徴とするデバイス装置。
【請求項１１】  通信媒体上にクライアント装置及びデバイス装置が通信可能に接続されたネットワークシステムであって、
前記デバイス装置は、
前記デバイス装置の状態に関する状態情報を取得する状態情報取得手段と、
該状態情報取得手段で取得した状態情報に対応するメッセージ、送信先情報、及び返信先情報に基づき送信データを作成する送信データ作成手段と、
該送信データ作成手段で作成した前記送信データを電子メールとして前記クライアント装置に送信する電子メール送信手段とを有し、
前記送信データ作成手段は、前記送信データを作成する際に、前記状態情報取得手段で取得した状態情報に応じて異なるアドレスを、前記電子メール送信手段により送信される電子メールの返信先情報として設定することを特徴とするネットワークシステム。
【請求項１２】  通信媒体上にクライアント装置及びデバイス装置が通信可能に接続されたネットワークシステムにおけるデータ転送方法であって、
前記デバイス装置において、
前記デバイス装置の状態に関する状態情報を取得し、
前記取得した状態情報に対応するメッセージ、送信先情報、及び返信先情報に基づき送信データを作成し、
前記作成した送信データを電子メールとして前記クライアント装置に送信し、
前記送信データを作成する際に、前記取得した状態情報に応じて異なるアドレスを、前記送信する電子メールの返信先情報として設定することを特徴とするデータ転送方法。
【請求項１３】  通信媒体上にクライアント装置及びデバイス装置が通信可能に接続されたネットワークシステムにおけるデータ転送方法を実行するプログラムを記憶したコンピュータにより読み出し可能な記憶媒体であって、
前記データ転送方法は、
前記デバイス装置の状態に関する状態情報を取得するステップと、
前記取得した状態情報に対応するメッセージ、送信先情報、及び返信先情報に基づき送信データを作成するステップと、
前記作成した送信データを電子メールとして前記クライアント装置に送信するステップとを有し、
前記送信データを作成するステップでは、前記取得した状態情報に応じて異なるアドレスを、前記送信する電子メールの返信先情報として設定することを特徴とする記憶媒体。
【手続補正２】
【補正対象書類名】明細書
【補正対象項目名】００１３
【補正方法】変更
【補正の内容】
【００１３】
【課題を解決するための手段】
上記目的を達成するため、本発明は、通信媒体上に接続されたクライアント装置及びデバイス装置間におけるデータ転送を制御するデータ転送処理装置であって、前記デバイス装置の状態に関する状態情報を取得する状態情報取得手段と、該状態情報取得手段で取得した状態情報に対応するメッセージ、送信先情報、及び返信先情報に基づき送信データを作成する送信データ作成手段と、該送信データ作成手段で作成した前記送信データを電子メールとして前記クライアント装置に送信する電子メール送信手段とを有し、前記送信データ作成手段は、前記送信データを作成する際に、前記状態情報取得手段で取得した状態情報に応じて異なるアドレスを、前記電子メール送信手段により送信される電子メールの返信先情報として設定することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
上記目的を達成するため、本発明は、クライアント装置と通信媒体を介して通信可能なデバイス装置であって、前記デバイス装置の状態に関する状態情報を取得する状態情報取得手段と、該状態情報取得手段で取得した状態情報に対応するメッセージ、送信先情報、及び返信先情報に基づき送信データを作成する送信データ作成手段と、該送信データ作成手段で作成した前記送信データを電子メールとして前記クライアント装置に送信する電子メール送信手段とを有し、前記送信データ作成手段は、前記送信データを作成する際に、前記状態情報取得手段で取得した状態情報に応じて異なるアドレスを、前記電子メール送信手段により送信される電子メールの返信先情報として設定することを特徴とする。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】変更
【補正の内容】
【００２９】
上記目的を達成するため、本発明は、通信媒体上にクライアント装置及びデバイス装置が通信可能に接続されたネットワークシステムであって、前記デバイス装置は、前記デバイス装置の状態に関する状態情報を取得する状態情報取得手段と、該状態情報取得手段で取得した状態情報に対応するメッセージ、送信先情報、及び返信先情報に基づき送信データを作成する送信データ作成手段と、該送信データ作成手段で作成した前記送信データを電子メールとして前記クライアント装置に送信する電子メール送信手段とを有し、前記送信データ作成手段は、前記送信データを作成する際に、前記状態情報取得手段で取得した状態情報に応じて異なるアドレスを、前記電子メール送信手段により送信される電子メールの返信先情報として設定することを特徴とする。
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】変更
【補正の内容】
【００３８】
上記目的を達成するため、本発明は、通信媒体上にクライアント装置及びデバイス装置が通信可能に接続されたネットワークシステムにおけるデータ転送方法であって、前記デバイス装置において、前記デバイス装置の状態に関する状態情報を取得し、前記取得した状態情報に対応するメッセージ、送信先情報、及び返信先情報に基づき送信データを作成し、前記作成した送信データを電子メールとして前記クライアント装置に送信し、前記送信データを作成する際に、前記取得した状態情報に応じて異なるアドレスを、前記送信する電子メールの返信先情報として設定することを特徴とする。
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】変更
【補正の内容】
【００４７】
上記目的を達成するため、本発明は、通信媒体上にクライアント装置及びデバイス装置が通信可能に接続されたネットワークシステムにおけるデータ転送方法を実行するプログラムを記憶したコンピュータにより読み出し可能な記憶媒体であって、前記データ転送方法は、前記デバイス装置の状態に関する状態情報を取得するステップと、前記取得した状態情報に対応するメッセージ、送信先情報、及び返信先情報に基づき送信データを作成するステップと、前記作成した送信データを電子メールとして前記クライアント装置に送信するステップとを有し、前記送信データを作成するステップでは、前記取得した状態情報に応じて異なるアドレスを、前記送信する電子メールの返信先情報として設定することを特徴とする。
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】
【手続補正４４】
【補正対象書類名】明細書
【補正対象項目名】００５５
【補正方法】削除
【補正の内容】
【手続補正４５】
【補正対象書類名】明細書
【補正対象項目名】０１０１
【補正方法】変更
【補正の内容】
【０１０１】
［第２の実施の形態］
図１２は本発明の第２の実施の形態に係るデバイス装置とクライアント装置を備えたネットワークシステムの構成を示すブロック図である。本発明の第２の実施の形態に係るネットワークシステムは、デバイス装置１１０１、クライアント装置１３０１を備えており、更に、デバイス装置１１０１は、デバイス状態通知条件設定情報取得部１１１１、デバイス状態通知条件設定部１１１２、デバイス状態通知条件設定情報記憶メモリ１１１３を有するデバイス制御部１１０２と、メール通知設定画面生成部１１０５、メール通知設定画面記憶メモリ１１０６、メール通知設定情報記憶メモリ１１０７、メール通知設定情報取得部１１０８、メール通知設定情報登録部１１０９、デバイス状態通知条件設定部１１１０、ネットワークインタフェース１１１４を有するネットワーク制御部１１０３と、デバイスインタフェース１１０４とを備えている。図中、１２０１はネットワークである。
【手続補正４６】
【補正対象書類名】明細書
【補正対象項目名】０１４２
【補正方法】変更
【補正の内容】
【０１４２】
【発明の効果】
以上説明したように、本発明のデータ転送処理装置によれば、デバイス装置の状態に関する状態情報に対応するメッセージ、送信先情報、及び返信先情報に基づき作成した送信データを、電子メールとしてクライアント装置へ送信するので、デバイス装置を管理するユーザに対し、デバイス装置の状態を的確なタイミングで認知させることが可能となる。
【手続補正４７】
【補正対象書類名】明細書
【補正対象項目名】符号の説明
【補正方法】変更
【補正の内容】
【符号の説明】
１０１、１１０１  デバイス装置
１０２、１１０２  デバイス制御部
１０３、１１０３  ネットワーク制御部（データ転送処理装置）
１０７  デバイス状態変化検知部（状態情報取得手段）
１０８  メールメッセージ生成部（送信データ作成手段）
１０９  ステータスメッセージ取得部
１１０  ステータスメッセージ送信部
１１１  ステータスメッセージデータ部
１１２  メールヘッダ・フッダデータ部（送信先情報記憶手段）
１１３  メール送信部（電子メール送信手段）
２０１、１２０１  ネットワーク（通信媒体）
３０１、１３０１  クライアント装置
３０２  メールサーバ装置
１１０５  メール通知設定画面生成部（データ生成手段）
１１０６  メール通知設定画面記憶メモリ
１１０７  メール通知設定情報記憶メモリ（送信設定情報記憶手段、通知設定情報保持手段）
１１０８  メール通知設定情報取得部（通知設定情報取得手段）
１１１０  デバイス状態通知条件設定部（通知条件設定手段）
１１１４  ネットワークＩ／Ｆ（データ送信手段）